(57)【要約】【課題】ユーザ毎に独自性のある電子データからなるガイドブックや旅行記を作成するために有用なサービスを提供する。【課題手段】ステップＡ２１３の撮影処理において画像処理回路／ＣＰＵは、ステップＡ２１２で設定されている制御情報に従って各種の信号処理、及び画像処理を実行する。よって、ユーザは、サンプル画像と同等の画質等を有する画像を撮影することができる。しかる後にステップＡ２１６で、ＲＡＭに格納されているテンプレートにおいて、サンプル画像を撮影画像に置き換える（ステップＡ２１６）。テンプレートの画像と付加情報とにおいて、画像は、複数のサンプル画像の一部あるは全てがユーザにより撮影された撮影画像に置き換えられたものとなる。よって、ユーザ毎に独自性のある画像を有しかつ付加情報によるコメントも有する独自性のあるガイドブックや旅行記が作成される。【選択図】　　　　図８
2004015247.tif 000002
【特許請求の範囲】
【請求項１】
ネットワークに接続されているサーバ装置であって、
サンプル画像と、撮像装置に対して撮影条件を設定するための制御情報、及び前記サンプル画像に関連する内容をなす付加情報とからなる複数のテンプレートを各々位置情報に対応させて記憶しているテンプレート記憶手段と、
撮像装置から送信される位置情報を、前記ネットワークを介して受信する受信手段と、
この受信手段により受信した位置情報に基づき、前記テンプレート記憶手段から対応するテンプレートを検索するテンプレート検索手段と、
このテンプレート検索手段により検索された前記テンプレートを、前記ネットワークを介して前記撮像装置に送信する送信手段と
を備えたことを特徴とするサーバ装置。
【請求項２】
前記各テンプレートに対応する位置情報に関連した地図情報を記憶している地図情報記憶手段と、
前記受信手段により受信した位置情報に基づき、前記地図情報記憶手段から関連する地図情報を検索する地図情報検索手段とを更に備え、
前記送信手段は、前記地図情報検索手段により検索された地図情報を更に送信することを特徴とする請求項１記載のサーバ装置。
【請求項３】
被写体を撮像して画像データとして記憶する撮像装置であって、
サンプル画像と、前記撮像装置に対して撮影条件を設定するための制御情報、及び前記サンプル画像に関連する内容をなす付加情報とからなるテンプレートを記憶する記憶手段と、
この記憶手段に記憶されたテンプレートが有するサンプル画像を表示する表示手段と、
前記テンプレートの前記制御情報に基づき撮影条件を設定する設定手段と、
この設定手段により設定された前記撮影条件で被写体を撮像する撮像手段と、
この撮像手段により撮像された画像と前記テンプレートのサンプル画像に関連する内容をなす付加情報とを関連づける関連付け手段と、
を備えたことを特徴とする撮像装置。
【請求項４】
ネットワークに接続可能な接続手段と、
位置情報を取得する取得手段と、
この取得手段により取得された位置情報を、前記ネットワークを介して接続されたサーバ装置に送信する送信手段と、
前記サーバ装置から送信される前記位置情報に対応するテンプレートであって、サンプル画像と、撮像装置に対して撮影条件を設定するための制御情報、及び前記サンプル画像に関連する内容をなす付加情報とからなるテンプレートを受信する受信手段と、
この受信手段により受信されたテンプレートが有するサンプル画像を表示する表示手段と、
前記受信手段により受信されたテンプレートの前記制御情報に基づき撮影条件を設定する設定手段と、
この設定手段により設定された前記撮影条件で被写体を撮像する撮像手段と、
この撮像手段により撮像された画像を前記サンプル画像と置換する置換手段と、
を備えたことを特徴とする請求項３記載の撮像装置。
【請求項５】
前記テンプレートは、複数のサンプル画像とこれに対応する付加情報とを有し、
前記複数のサンプル画像からいずれかを選択する選択手段を更に備え、
前記置換手段は、前記撮像された画像を前記選択手段により選択されたサンプル画像と置換することを特徴とする請求項３及び４記載の撮像装置。
【請求項６】
前記受信手段は、前記位置情報に関連した地図情報を更に受信し、
前記表示手段は、前記受信手段により受信された前記地図情報に基づく地図を更に表示することを特徴とする請求項４記載の撮像装置。
【請求項７】
ネットワークを介してサーバ装置と撮像装置とが接続される撮像システムであって、
前記サーバ装置は、
サンプル画像と、撮像装置に対して撮影条件を設定するための制御情報、及び前記サンプル画像に関連する内容をなす付加情報とからなる複数のテンプレートを各々位置情報に対応させて記憶しているテンプレート記憶手段と、
前記撮像装置から送信される位置情報を、前記ネットワークを介して受信する受信手段と、
この受信手段により受信した位置情報に基づき、前記テンプレート記憶手段から対応するテンプレートを検索するテンプレート検索手段と、
このテンプレート検索手段により検索された前記テンプレートを、前記ネットワークを介して前記撮像装置に送信する送信手段と
を備え、
前記撮像装置は、
位置情報を取得する取得手段と、
この取得手段により取得された位置情報を、前記サーバ装置に送信する送信手段と、
前記サーバ装置から送信される前記テンプレートを受信する受信手段と、
この受信手段により受信されたテンプレートが有するサンプル画像を表示する表示手段と、
前記受信手段により受信されたテンプレートの前記制御情報に基づき撮影条件を設定する設定手段と、
この設定手段により設定された前記撮影条件で被写体を撮像する撮像手段と、
この撮像手段により撮像された画像と前記テンプレートのサンプル画像に関連する内容をなす付加情報とを関連づける関連付け手段と、
を備えたことを特徴とする撮像システム。
【請求項８】
被写体を撮像して画像データとして記憶する撮像方法であって、
ネットワークに接続する接続工程と、
位置情報を取得する取得工程と、
この取得工程により取得された位置情報を、前記ネットワークを介して接続されたサーバ装置に送信する送信工程と、
前記サーバ装置から送信される前記位置情報に対応するテンプレートであって、サンプル画像と、撮像装置に対して撮影条件を設定するための制御情報、及び前記サンプル画像に関連する内容をなす付加情報とからなるテンプレートを受信する受信工程と、
この受信工程により受信されたテンプレートが有するサンプル画像を表示する表示工程と、
前記受信工程により受信されたテンプレートの前記制御情報に基づき撮影条件を設定する設定工程と、
この設定工程により設定された前記撮影条件で被写体を撮像する撮像工程と、
この撮像工程により撮像された画像と前記テンプレートのサンプル画像に関連する内容をなす付加情報とを関連づける関連付け工程と、
を含むことを特徴とする撮像方法。
【請求項９】
被写体を撮像して画像データとして記憶する撮像装置が有するコンピュータに処理を実行させる撮像装置制御プログラムであって、
ネットワークに接続する接続手順と、
位置情報を取得する取得手順と、
この取得手順により取得された位置情報を、前記ネットワークを介して接続されたサーバ装置に送信する送信手順と、
前記サーバ装置から送信される前記位置情報に対応するテンプレートであって、サンプル画像と、撮像装置に対して撮影条件を設定するための制御情報、及び前記サンプル画像に関連する内容をなす付加情報とからなるテンプレートを受信する受信手順と、
この受信手順により受信されたテンプレートが有するサンプル画像を表示させる表示手順と、
前記受信手順により受信されたテンプレートの前記制御情報に基づき撮影条件を設定する設定手順と、
この設定手順により設定された前記撮影条件で被写体を撮像する撮像手順と、
この撮像手順により撮像された画像と前記テンプレートのサンプル画像に関連する内容をなす付加情報とを関連づける関連付け手順と、
をコンピュータに実行させることを特徴とする撮像装置制御プログラム。
【発明の詳細な説明】
【０００１】
【発明の属する技術分野】
【０００２】
本発明は、サーバ装置、撮像装置、撮像システム、撮像方法及び撮像装置制御プログラムに関する。
【０００３】
【発明の背景】
【０００４】
近年、ＰＣ（ｐｅｒｓｏｎａｌ　ｃｏｍｐｕｔｅｒ）やインターネット接続機能を備えた携帯端末の普及に伴い、インターネットを介して各種サイトに接続することにより、ユーザは所望の情報をサーバからダウンロードして利用することが可能となっている。例えば、各観光地の団体が運営するサイトに接続して、当該観光地の画像情報やガイド情報をダウンロードして保存することにより、電子データからなるガイドブックを作成することもできる。
【０００５】
【発明が解決しようとする課題】
【０００６】
しかしながら、これらダウンロードし画像情報やガイド情報は予めサーバに格納されているデータである。したがって、各ユーザが画像情報やガイド情報をダウンロードして保存し、電子データからなるガイドブックを作成しても、当該ガイドブックを構成するデータは、単に既存のデータを寄せ集めたに過ぎずユーザ毎に独自性のあるガイドブックや旅行記となり得るものではなかった。
【０００７】
本発明は、かかる従来の課題に鑑みてなされたものであり、ユーザ毎に独自性のある電子データからなるガイドブックや旅行記を作成するために有用なサービスを提供するためのサーバ装置、及び前記サービスを利用するための撮像装置、撮像システム、撮像方法及び撮像装置制御プログラムを提供することを目的とするものである。
【０００８】
【課題を解決するための手段】
【０００９】
前記課題を解決するために請求項１記載の発明は、ネットワークに接続されているサーバ装置であって、他の画像と置換可能なサンプル画像と、撮像装置に対して撮影条件を設定するための制御情報、及び前記サンプル画像に関連する内容をなす付加情報とからなる複数のテンプレートを各々位置情報に対応させて記憶しているテンプレート記憶手段と、撮像装置から送信される位置情報を、前記ネットワークを介して受信する受信手段と、この受信手段により受信した位置情報に基づき、前記テンプレート記憶手段から対応するテンプレートを検索するテンプレート検索手段と、このテンプレート検索手段により検索された前記テンプレートを、前記ネットワークを介して前記撮像装置に送信する送信手段とを備えている。
【００１０】
したがって、撮像装置から位置情報が送信されると、これを受信して位置情報に対応するテンプレートを検索し、この検索したテンプレートを撮像装置に送信する。このテンプレートにあっては、他の画像と置換可能なサンプル画像と、撮像装置に対して撮影条件を設定するための制御情報、及び前記サンプル画像に関連する内容をなす付加情報とからなる情報群からなるものである。よって、ユーザの所有する撮像装置が、撮影条件で撮影した画像をサンプル画像と置換すれば、ユーザ毎に独自性がありしかもサンプル画像と画質等が同等の画像を有し、かつ付加情報によるコメントも有する独自性のある、電子データからなるガイドブックや旅行記が作成されることとなる。
【００１１】
また、請求項２記載の発明は、前記各テンプレートに対応する位置情報に関連した地図情報を記憶している地図情報記憶手段と、前記受信手段により受信した位置情報に基づき、前記地図情報記憶手段から関連する地図情報を検索する地図情報検索手段とを更に備え、前記送信手段は、前記地図情報検索手段により検索された地図情報を更に送信する。したがって、ユーザが所有する撮像装置で地図情報に基づく地図を表示することにより、ユーザはサンプル画像とされている場所まで容易に辿り着くことができる。
【００１２】
また、請求項３記載の発明は、被写体を撮像して画像データとして記憶する撮像装置であって、サンプル画像と、前記撮像装置に対して撮影条件を設定するための制御情報、及び前記サンプル画像に関連する内容をなす付加情報とからなるテンプレートを記憶する記憶手段と、この記憶手段に記憶されたテンプレートが有するサンプル画像を表示する表示手段と、前記テンプレートの前記制御情報に基づき撮影条件を設定する設定手段と、この設定手段により設定された前記撮影条件で被写体を撮像する撮像手段と、この撮像手段により撮像された画像と前記テンプレートのサンプル画像に関連する内容をなす付加情報とを関連づける関連付け手段とを備えている。
【００１３】
すなわち、記憶手段に記憶されているテンプレートにあっては、他の画像と置換可能なサンプル画像と、撮像装置に対して撮影条件を設定するための制御情報、及び前記サンプル画像に関連する内容をなす付加情報とからなる情報群からなるものである。よって、ユーザの所有する撮像装置が、撮影条件で撮影した画像を対応するサンプル画像に関連する内容をなす付加情報と関連づければ、ユーザ毎に独自性がありしかもサンプル画像と画質等が同等の画像を有し、かつ付加情報によるコメントも有する独自性のある、電子データからなるガイドブックや旅行記が作成されることとなる。
【００１４】
また、請求項４記載の発明は、被写体を撮像して画像データとして記憶する撮像装置であって、ネットワークに接続可能な接続手段と、位置情報を取得する取得手段と、この取得手段により取得された位置情報を、前記ネットワークを介して接続されたサーバ装置に送信する送信手段と、前記サーバ装置から送信される前記位置情報に対応するテンプレートであって、他の画像と置換可能なサンプル画像と、撮像装置に対して撮影条件を設定するための制御情報、及び前記サンプル画像に関連する内容をなす付加情報とからなるテンプレートを受信する受信手段と、この受信手段により受信されたテンプレートが有するサンプル画像を表示する表示手段と、前記受信手段により受信されたテンプレートの前記制御情報に基づき撮影条件を設定する設定手段と、この設定手段により設定された前記撮影条件で被写体を撮像する撮像手段と、この撮像手段により撮像された画像を前記サンプル画像と置換する置換手段とを備えている。
【００１５】
したがって、位置情報を取得し、この取得した位置情報を、ネットワークを介してサーバ装置に送信することにより、当該位置情報に対応するテンプレートを受信することができる。このテンプレートにあっては、他の画像と置換可能なサンプル画像と、撮像装置に対して撮影条件を設定するための制御情報、及び前記サンプル画像に関連する内容をなす付加情報とからなる情報群からなるものである。よって、撮像手段が前記撮影条件で撮影した画像を、置換手段がサンプル画像と置換すれば、ユーザ毎に独自性がありしかもサンプル画像と画質等が同等の画像を有し、かつ付加情報によるコメントも有する独自性のあるガイドブックや旅行記が作成されることとなる。
【００１６】
また、請求項５記載の発明は、前記テンプレートは、複数のサンプル画像とこれに対応する付加情報とを有し、前記複数のサンプル画像からいずれかを選択する選択手段を更に備え、前記置換手段は、前記撮像された画像を前記選択手段により選択されたサンプル画像と置換する。したがって、複数のサンプル画像のうちの任意のサンプル画像を撮像された画像と置換して、独自性のあるガイドブックや旅行記を作成することができる。
【００１７】
また、請求項６記載の発明は、前記受信手段は、前記位置情報に関連した地図情報を更に受信し、前記表示手段は、前記受信手段により受信された前記地図情報に基づく地図を更に表示する。したがって、表示手段に地図情報に基づく地図を表示することにより、ユーザはサンプル画像とされている場所まで容易に辿り着くことができる。
【００１８】
また、請求項７記載の発明は、ネットワークを介してサーバ装置と撮像装置とが接続される撮像システムであって、前記サーバ装置は、他の画像と置換可能なサンプル画像と、撮像装置に対して撮影条件を設定するための制御情報、及び前記サンプル画像に関連する内容をなす付加情報とからなる複数のテンプレートを各々位置情報に対応させて記憶しているテンプレート記憶手段と、前記撮像装置から送信される位置情報を、前記ネットワークを介して受信する受信手段と、この受信手段により受信した位置情報に基づき、前記テンプレート記憶手段から対応するテンプレートを検索するテンプレート検索手段と、このテンプレート検索手段により検索された前記テンプレートを、前記ネットワークを介して前記撮像装置に送信する送信手段とを備え、前記撮像装置は、位置情報を取得する取得手段と、この取得手段により取得された位置情報を、前記サーバ装置に送信する送信手段と、前記サーバ装置から送信される前記テンプレートを受信する受信手段と、この受信手段により受信されたテンプレートが有するサンプル画像を表示する表示手段と、前記受信手段により受信されたテンプレートの前記制御情報に基づき撮影条件を設定する設定手段と、この設定手段により設定された前記撮影条件で被写体を撮像する撮像手段と、この撮像手段により撮像された画像を前記サンプル画像と置換する置換手段とを備えている。
【００１９】
したがって、撮像装置は、位置情報を取得し、この取得した位置情報を、ネットワークを介してサーバ装置に送信する。すると、サーバ装置は、撮像装置からの位置情報を受信してこれに対応するテンプレートを検索し、この検索したテンプレートを撮像装置に送信し、撮像装置はこれを受信する。そして、撮像装置の撮像手段が前記撮影条件で撮影した画像を、置換手段がサンプル画像と置換すれば、ユーザ毎に独自性がありしかもサンプル画像と画質等が同等の画像を有し、かつ付加情報によるコメントも有する独自性のあるガイドブックや旅行記が作成されることとなる。
【００２０】
また、請求項８記載の発明は、被写体を撮像して画像データとして記憶する撮像方法であって、ネットワークに接続する接続工程と、位置情報を取得する取得工程と、この取得工程により取得された位置情報を、前記ネットワークを介して接続されたサーバ装置に送信する送信工程と、前記サーバ装置から送信される前記位置情報に対応するテンプレートであって、他の画像と置換可能なサンプル画像と、撮像装置に対して撮影条件を設定するための制御情報、及び前記サンプル画像に関連する内容をなす付加情報とからなるテンプレートを受信する受信工程と、この受信工程により受信されたテンプレートが有するサンプル画像を表示する表示工程と、前記受信工程により受信されたテンプレートの前記制御情報に基づき撮影条件を設定する設定工程と、この設定工程により設定された前記撮影条件で被写体を撮像する撮像工程と、この撮像工程により撮像された画像を前記サンプル画像と置換する置換工程とを含む。したがって、記載した工程に従って処理を実行することにより、請求項４記載の発明と同様の作用効果を奏する。
【００２１】
また、請求項９記載の発明は、被写体を撮像して画像データとして記憶する撮像装置が有するコンピュータに処理を実行させる撮像装置制御プログラムであって、ネットワークに接続する接続手順と、位置情報を取得する取得手順と、この取得手順により取得された位置情報を、前記ネットワークを介して接続されたサーバ装置に送信する送信手順と、前記サーバ装置から送信される前記位置情報に対応するテンプレートであって、他の画像と置換可能なサンプル画像と、撮像装置に対して撮影条件を設定するための制御情報、及び前記サンプル画像に関連する内容をなす付加情報とからなるテンプレートを受信する受信手順と、この受信手順により受信されたテンプレートが有するサンプル画像を表示させる表示手順と、前記受信手順により受信されたテンプレートの前記制御情報に基づき撮影条件を設定する設定手順と、この設定手順により設定された前記撮影条件で被写体を撮像する撮像手順と、この撮像手順により撮像された画像を前記サンプル画像と置換する置換手順とをコンピュータに実行させる。したがって、前記コンピュータがこのプログラムに従って処理を実行することにより、請求項４記載の発明と同様の作用効果を奏する。
【００２２】
【発明の実施の形態】
【００２３】
以下、本発明の一実施の形態を図に従って説明する。図１は、本実施の形態に係る撮像システムの構成を示すものであり、この撮像システムは、ネットワーク１に接続されたサーバ２と、携帯電話端末３を介して又は直接ネットワーク１に接続可能なデジタルカメラ４とで構成されている。
【００２４】
サーバ２は図２に示すように、制御部２０１、ＲＯＭ２０２、ＲＡＭ２０３、通信部２０４、表示部２０５、データベース２０６がシステムバス２０７により相互に接続されたシステムである。制御部２０１は、ＲＯＭ２０２に記憶され後述するフローチャートにより示されるプログラムに基づき動作し、各部を制御するものである。ＲＡＭ２０３は、制御部２０１のワークエリアとして使用され、通信部２０４はネットワーク１を介してデータの授受を行い、表示部２０５はディスプレイからなる。
【００２５】
データベース２０６には、複数のテンプレートと地図データとが格納されている。テンプレートは、東京、横浜、小田原、軽井沢等の観光地や主要都市毎等の地域ごとのテンプレートで構成され、各テンプレートは、複数のサンプル画像と、各サンプル画像と同等の画像を撮影する際にデジタルカメラ４に対して撮影条件を設定するための制御情報、及び前記サンプル画像に関連する内容をなす付加情報からなる。すなわち、図３に示すように、例えば「東京」のテンプレートＴは、図３に示すように、「皇居前和田倉」「東京駅」「桜田門」・・・等の、「東京」内の対応場所を撮影した画像からなるサンプル画像ＳＰ１〜ＳＰ８と、各サンプル画像ＳＰ１〜ＳＰ８の場所に関するガイドやコメント等の付加情報Ｃ１〜Ｃ８、及びサンプル画像ＳＰ１〜ＳＰ８と同等の画像を撮影するためにデジタルカメラ４に設定すべきシャッター速度、ホワイトバラス、彩度、色調、測光方式、露出補正量等の撮影条件からなる制御情報（図示せず）とで構成され、さらに各サンプル画像ＳＰ１〜ＳＰ８の撮影方向も記憶されている。また、地図データは、テンプレートに含まれている東京、横浜、小田原、軽井沢等の観光地や主要都市及びその周辺を含む地図データで構成されている。
【００２６】
前記デジタルカメラ４は、図４に示すように、直方体形状の本体４０１を有し、この本体４０１の前面には後述する光学レンズ４０７が配置されている。また、背面には液晶表示部４０２と光学ファインダ４０３、及び十字カーソルキー４０４が配置されている。さらに、上面にはシャッターキー４０５と各種メニューキー４０６が配設されている。
【００２７】
図５は、デジタルカメラ４の電気的な回路構成を示すブロック図である。このデジタルカメラは、前記本体４０１の前面に配置された光学レンズ４０７、この光学レンズ４０７により結像されるＣＣＤ等の撮像素子４０８と、撮像素子４０８を駆動するためのＴＧ４０９と、撮像素子４０８から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路４１０を有している。そして、被写体の像が光学レンズ４０７を介して撮像素子４０８上に結像され、撮像素子４０８は信号を出力する。この撮像素子４０８から出力された信号は、ユニット回路４１０にて、サンプリング、増幅、デジタル化され、画像処理回路／ＣＰＵ４１１に送られて、この画像処理回路／ＣＰＵ４１１内で輝度に変換され、輝度の積分やヒストグラム処理が行われる。
【００２８】
前記光学レンズ４０７は、ＡＦモータ等を備えるレンズ駆動回路４１２に保持されており、レンズ駆動回路４１２が画像処理回路／ＣＰＵ４１１の制御により駆動されることにより光軸方向に移動し、撮像素子４０８に結像される被写体像のフォーカスを調整する。また、ＡＥ制御時には、撮像素子４０８が、画像処理回路／ＣＰＵ４１１から送られるシャッターパルスに基づきＴＧ４０９によって駆動され、その電荷蓄積時間を制御される。これにより電子シャッターが実現される。
【００２９】
画像処理回路／ＣＰＵ４１１は各部を制御するものであって、各種の信号処理、及び画像処理機能を備えたものであり、ユニット回路４１０を経てデジタル信号に変換された撮像信号からビデオ信号を生成し、撮像素子４０８によって撮像した被写体像をスルー画像としてＴＦＴ液晶モニター等からなる前記液晶表示部４０２に表示させる。また、撮像時には、撮像信号を圧縮してＪＰＥＧフォーマットの画像ファイルを生成し、それをフラッシュメモリ等からなる画像記録媒体４１３に記憶させ、再生時には圧縮した画像ファイルを伸張して液晶表示部４０２に表示させる。なお、画像処理回路／ＣＰＵ４１１は、現在日時を計時する時計部４１４を備えており、画像記録媒体４１３は着脱自在である。
【００３０】
さらに、画像処理回路／ＣＰＵ４１１には、前記十字カーソルキー４０４、シャッターキー４０５、メニューキー４０６等からなる操作キー部４１５、メモリー４１６、ＧＰＳ（Ｇｌｏｂａｌ　Ｐｏｓｉｔｉｏｎｉｎｇ　Ｓｙｓｔｅｍ）モジュール４１７、方位センサー４１８、通信部４１９及びＲＡＭ４２０が接続されている。メモリー４１６は、画像処理回路／ＣＰＵ４１１による各部の制御及び各種データ処理に必要な動作プログラムが記録されたプログラムＲＯＭであり、後述するフローチャートに示す処理を実行するためのプログラム、及びベストショット画像等が記憶されている。ベストショット画像は、サンプル画像となる画像データと、当該サンプル画像と同等の画像を撮影するためにデジタルカメラ４に設定すべきシャッター速度、ホワイトバラス、彩度、色調、測光方式、露出補正量等の撮影条件を示す制御情報とからなる。
【００３１】
ＧＰＳモジュール４１７は、測地衛星からのＬ１帯のＣ／Ａコードを受信して復調・解読し現在位置の緯度・経度を割り出すものであり、ＧＰＳモジュール４１７により割り出された緯度・経度の情報は画像処理回路／ＣＰＵ４１１に取り込まれる。方位センサー４１８は、デジタルカメラ４における光学レンズ４０７の向き（方位）を検出して画像処理回路／ＣＰＵ４１１に入力するものである。通信部４１９は、ネットワーク１に直接、若しくは携帯電話端末３を介してネットワーク１に接続可能な構成からなる。ＲＡＭ４２０は、ダウンロードしたデータを一時的に格納したり、画像処理回路／ＣＰＵ４１１のワーク用として使用される。
【００３２】
次に、以上の構成にかかるデジタルカメラ４及びサーバ２の動作を図６及び図７に示すフローチャートに従って説明する。デジタルカメラ４は、画像処理回路／ＣＰＵ４１１が前記プログラムに基づき動作することにより、図６に示すフローチャートに従って処理を実行し、ユーザによる各種メニューキー４０６に対する操作に応答して、インターネットモードを選択し（ステップＡ１０１）、コンテンツリストを液晶表示部４０２に表示する（ステップＡ１０２）。次に、この表示されたコンテンツリストの中から、十字カーソルキー４０４の操作により、テンプレートサイトへの接続が選択されたか否かを判断する（ステップＡ１０３）。テンプレートサイトへの接続が選択されず、他のサイトへの接続が選択された場合には、通信部４１９及びネットワーク１（若しくは、携帯電話端末３とネットワーク１）を介して、選択されたサイトへ接続する（ステップＡ１０８）。
【００３３】
また、テンプレートサイトへの接続が選択された場合には（ステップＡ１０３；ＹＥＳ）、通信部４１９及びネットワーク１（若しくは、携帯電話端末３とネットワーク１）を介してサーバ２にアクセスし、ＧＰＳモジュール４１７により取得した現在位置情報（緯度・経度）をサーバ２（サイト）に送信する（ステップＡ１０４）。
【００３４】
するとサーバ２は、制御部２０１が、ＲＯＭ２０２に記憶されているプログラムに基づき動作することより、図７に示すフローチャートに従って処理を実行し、デジタルカメラ４から送信された現在位置情報を受信する（ステップＢ１０１）。そして、この選択した現在位置情報に基づき、データベース２０６からその周辺の選択可能なテンプレートリストをデジタルカメラ４に送信する（ステップＢ１０２）。すなわち、現在位置情報（緯度・経度）が例えば「川崎」であるならば、その周辺である「東京」と「横浜」をテンプレートリストとして送信する。
【００３５】
デジタルカメラ４は、このテンプレートリストを受信して液晶表示部４０２に表示する（ステップＡ１０５）。次に、この表示されたテンプレートリストの中から、十字カーソルキー４０４の操作により、所望のテンプレート名を選択して送信する（ステップＡ１０６）。サーバ２は、この選択されたリスト中のテンプレート名を受信して（ステップＢ１０３）、このテンプレート名に対応するテンプレートを送信する（ステップＢ１０４）。デジタルカメラ４は、この選択されたテンプレートをダウンロードする（ステップＡ１０７）。
【００３６】
したがって、テンプレートリストとして「東京」と「横浜」が送信され、このテンプレートリストから例えば「東京」が選択されたとすると、図３に示した「東京」のテンプレートＴがサーバ２からデジタルカメラ４にダウンロードされて、デジタルカメラ４のＲＡＭ４２０格納される。ここで「東京」のテンプレートがダウンロードされたので、デジタルカメラ４の液晶表示部４０２に表示されたテンプレートを見ることにより「東京」のガイドブックとしても使用することができる。上記実施の形態ではテンプレートリストから所望のテンプレートを名を選択させたが、選択させずにサーバ２が位置情報に最も近いところのテンプレートを送信してもよい。
【００３７】
しかる後に、デジタルカメラ４の画像処理回路／ＣＰＵ４１１は、図８に示すフローチャートに従って処理を実行し、十字カーソルキー４０４の操作に応じて、撮影画像の記録形式をメニューから選択する（ステップＡ２０１）。次に、これによりテンプレートモードが選択されたか否かを判断し、テンプレートが選択されなかった場合には、通常の記録方式でメモリ（画像記録媒体４１３）に撮影された画像を保存する（ステップＡ２１７）。つまり、シャッターキー４０５操作に応答して撮像信号を圧縮し、ＪＰＥＧフォーマットの画像ファイルを生成し、それを画像記録媒体４１３に記憶させる。
【００３８】
他方、テンプレートモードが選択された場合には（ステップＡ２０２；ＹＥＳ）、更にベストショットモードが選択されたか否かを判断し（ステップＡ２０３）、ベストショットモードが選択されなかった場合には、後述するステップＡ２１３に進む。また、ベストショットモードが選択された場合には（ステップＡ２０３；ＹＥＳ）、先ずＧＰＳモジュール４１７により現在位置を取得する（ステップＡ２０４）。次に、前述のステップＡ１０７でダウンロードされている地域テンプレートＴのサンプル画像の中から、現在位置に一番近い画像を選択し（ステップＡ２０５）、この選択したサンプル画像を撮影方向とコメントとともに液晶表示部４０２に表示する（ステップＡ２０６）。
【００３９】
したがって、例えば前述のようにユーザが「川崎」に居た時点でテンプレートのダウンロードを行い、その後移動した「新橋」付近でテンプレートモードの選択やベストショットモードの選択を行ったとし、その地点から一番近いサンプル画像が「桜田門」であったとすると、図９に示すように、「桜田門」のサンプル画像ＳＰ３と、そのコメントである付加情報Ｃ１、及び撮影方向Ｄが液晶表示部４０２に表示されることとなる。
【００４０】
次に、ユーザがテンプレート中のサンプル画像とデジタルカメラ４内のベストショット画像のいずれを選択したかを判断し（ステップＡ２０７、ステップＡ２１１）、ユーザが各種メニューキー４０６にてデジタルカメラ４内のベストショット画像を選択する所定の操作を行った場合には（ステップＡ２１１；ＹＥＳ）、後述するステップＡ２１３に進む。
【００４１】
また、ユーザが各種メニューキー４０６にてテンプレート中サンプル画像を選択する所定の操作を行った場合には（ステップＡ２０７；ＹＥＳ）、さらに、ユーザが各種メニューキー４０６にてサンプル画像の位置を地図表示させるための操作を行ったか否かを判断する（ステップＡ２０８）。地図表示させるための操作を行った場合には、前記ステップＡ２０５で選択されたサンプル画像の位置情報と前記ステップＡ２０４で取得した現在位置情報とを、通信部４１９及びネットワーク１を介してサーバ２に送信する（ステップＡ２０９）。
【００４２】
するとサーバ２は、図１０に示すフローチャートに従って処理を実行し、このステップＡ２０９で送信されたサンプル画像の位置情報と現在位置情報とを受信し（ステップＢ２０１）、現在位置からサンプル画像の位置（場所）までのルート地図をデータベース２０６から検索して、デジタルカメラ４に送信する（ステップＢ２０２）。したがって、前述の例のように現在位置が「新橋」でサンプル画像が「桜田門」であったとすると、「新橋」から「桜田門」までのルート地図がデジタルカメラ４に送信されることとなる。
【００４３】
他方、デジタルカメラ４は、図８のフローチャートに示すように、サーバ２より送信された前記現在位置からサンプル画像の位置までのルート地図をダウンロードして、液晶表示部４０２に表示する（ステップＡ２１０）。したがって、ユーザはこの液晶表示部４０２に表示されたルート地図を見ながら行動することにより、現在位置からサンプル画像の位置まで容易に到達することができる。
【００４４】
そして、ユーザがサンプル画像の位置（場所）まで到達し、このときサンプル画像の位置を表示する操作を行っていない状態にあると、ステップＡ２０８の判断がＮＯとなって、ステップＡ２０８からステップＡ２１２に進み、サンプル画像の撮影条件読み込み設定処理を実行する。
【００４５】
すなわち、前述のようにダウンロードされてＲＡＭ４２０に格納されているテンプレートＴには、サンプル画像ＳＰ１〜ＳＰ８と、各サンプル画像ＳＰ１〜ＳＰ８の場所に関するガイドやコメント等の付加情報Ｃ１〜Ｃ８、及びサンプル画像ＳＰ１〜ＳＰ８と同等の画像を撮影するためにデジタルカメラ４に設定すべきシャッター速度、ホワイトバラス、彩度、色調、測光方式、露出補正量等の撮影条件からなる制御情報が記憶されている。したがって、ステップＡ２１２においては、選択されているサンプル画像に対応する制御情報に基づき画像処理回路／ＣＰＵ４１１が動作し、撮影条件を各部に設定し当該撮影条件で撮影が行われるように処理を実行する。
【００４６】
そして、ユーザがシャッターキー４０５を操作すると、撮影処理を実行する（ステップＡ２１３）。この撮影処理において画像処理回路／ＣＰＵ４１１は、前述のステップＡ２１２で設定されている制御情報に従って各種の信号処理、及び画像処理を実行する。よって、ユーザは、サンプル画像と同等の画質等を有する画像を撮影することができる。
【００４７】
しかる後に、ユーザが各種メニューキー４０６にて、サンプル画像を撮影画像に置き換えるための操作を行ったか否かを判断する（ステップＡ２１４）。そして、置き換える操作を行わなかった場合には（ステップＡ２１４；ＮＯ）、撮像信号を圧縮してＪＰＥＧフォーマットの画像ファイルを生成し、撮影画像をメモリ（画像記録媒体４１３）に保存する（ステップＡ２１５）。
【００４８】
しかし、サンプル画像を撮影画像に置き換えるための操作が行われた場合には、ＲＡＭ４２０に格納されているテンプレートＴにおいて、前記選択されたサンプル画像を撮影画像に置き換える（ステップＡ２１６）。したがって、前述の例のように、サンプル画像として「桜田門」が選択されているとすると、図１１に示すように、ＲＡＭ４２０に格納されているテンプレートＴにおいて、「桜田門」のサンプル画像ＳＰ３は、撮影画像ＰＰに置き換えられる。
また、「桜田門」以外の他のサンプル画像についても、図８に示したフローチャートに従った処理が実行されることにより、サンプル画像が撮影画像に置き換えられることとなる。また、サンプル画像は撮影画像に置き換えるようにしたが、予めメモリ（画像記録媒体４１３）に記録しておいた画像に置き換えられるようにしてもよい。まとめて撮影し記録しておいた画像とテンプレートのサンプル画像を置き換えることも可能になる。
【００４９】
さらに、上記実施の形態ではダウンロードしたテンプレートのサンプル画像とユーザが撮影した撮影画像とを置換するようにしたが、置換するのではなく撮影画像を新たなサンプル画像としたテンプレートを新たに作成しても良い。
【００５０】
そして、任意のサンプル画像あるいは全てのサンプル画像について撮影画像との置き換えを行った後、ユーザが各種メニューキー４０６にて、ＲＡＭ４２０のデータを保存するための操作を行うと、図１２のフローチャートにおいて、ステップＡ３０１からステップＡ３０２に進み、ＲＡＭ４２０内のテンプレートの画像と付加情報とをメモリ（画像記録媒体４１３）にコピーし、テンプレートのフォーマットを維持した状態で保存する。この画像記録媒体４１３に保存されたテンプレートの画像と付加情報とにおいて、画像は、複数のサンプル画像の一部あるは全てがユーザにより撮影された撮影画像に置き換えられたものである。よって、画像記録媒体４１３に、ユーザ毎に独自性のある画像を有しかつ付加情報によるコメントも有する独自性のあるガイドブックや旅行記が作成されて保存されることとなる。
【００５１】
なお、本実施の形態においては、サンプル画像ＳＰ１〜ＳＰ８と対応する付加情報Ｃ１〜Ｃ８とが整列されたフォーマットのテンプレートＴを示したが、図１３に示すように、サンプル画像ＳＰ１〜ＳＰ８と対応する付加情報Ｃ１〜Ｃ８とがランダムに配置されたテンプレートＴを用いるようにしてもよい。また、各テンプレートＴに複数のサンプル画像や対応する複数の付加情報を配置するフォーマットとすることなく、単一のサンプル画像と対応する単一の付加情報を配置したフォーマットとしてもよい。単一にすることで、置き換えない場合でも、付加情報だけを撮影画像に関連づけて保存するようにすることができる。このようにすれば撮影画像に付加情報のみが付けられ、撮影画像ごとにデータを扱うことができ、ユーザの撮影画像の扱いやすさ、自由度が増す。また、メモリの削減にもなる。
【００５２】
さらに、テンプレートは、他の画像と置換可能なサンプル画像と、撮像装置に対して撮影条件を設定するための制御情報、及び前記サンプル画像に関連する内容をなす付加情報とを有するものとしたが、他の画像と置換可能なサンプル画像と、このサンプル画像に関連する内容をなす付加情報とからなるものとしてもよい。
【００５３】
さらに、前記実施の形態ではテンプレートをサーバからネットワークを介して接続した撮像装置にダウンロードして取得するものとしたが、それに限らず、テンプレートが撮像装置に予め記憶されていても良い。例えば行き先が決まっていて、自宅のパソコンから複数のテンプレートを予め撮像装置に入れておき撮影しに行っても良いし、着脱可能な画像記録媒体に複数のテンプレートが記録されていて、それを持ち歩くようにしてもよい。サーバへ接続してダウンロードする手間が省ける。
【００５４】
また、サンプル画像に関連する内容をなす付加情報はガイドやコメント等の文字情報に限らず、ガイドやコメント内容に関連するアイコン、マークなどの画像データ、さらに音楽データなどの音声ファイル、動画ファイルなど様々な付加情報であってもよい。
【００５５】
また、前記実施の形態においては撮像装置としてデジタルカメラ４を用いる場合を示したが、カメラ付き携帯電話やカメラ付きＰＤＡを用いるようにしてもよい。
【００５６】
【発明の効果】
【００５７】
以上説明したように本発明に係るサーバ装置及び撮像システムによれば、ユーザ毎に独自性がありしかもサンプル画像と画質等が同等の画像を有し、かつ付加情報によるコメントも有する独自性のあるガイドブックや旅行記を容易に作成するためのサービスをシステム的に提供することができる。
【００５８】
また、本発明に係る撮像装置、撮像方法及び撮像装置制御プログラムによれば、ユーザ毎に独自性がありしかもサンプル画像と画質等が同等の画像を有し、かつ付加情報によるコメントも有する独自性のあるガイドブックや旅行記を容易に作成することができる。
【図面の簡単な説明】
【図１】本発明の一実施の形態に係る撮像システムのシステム構成図である。
【図２】サーバの構成を示すブロック図である。
【図３】テンプレートの構成を示す図である。
【図４】デジタルカメラの外観構成を示す斜視図である。
【図５】デジタルカメラの回路構成を示すブロック図である。
【図６】デジタルカメラの処理手順を示すフローチャートである。
【図７】図６に対応するサーバのの処理手順を示すフローチャートである。
【図８】デジタルカメラの処理手順を示すフローチャートである。
【図９】表示画面例を示す図である。
【図１０】図８に対応するサーバのの処理手順を示すフローチャートである。
【図１１】テンプレートのサンプル画像が撮影画像に置き換えられた状態を示す図である。
【図１２】デジタルカメラの処理手順を示すフローチャートである。
【図１３】他のテンプレートの構成例を示す図である。
【符号の説明】
１　　ネットワーク
２　　サーバ
４　　デジタルカメラ
２０１　　制御部
２０２　　ＲＯＭ
２０３　　ＲＡＭ
２０４　　通信部
２０５　　表示部
２０６　　データベース
２０７　　システムバス
４０２　　液晶表示部
４０３　　光学ファインダ
４０４　　十字カーソルキー
４０５　　シャッターキー
４０５　　光学ファインダ
４０６　　メニューキー
４０７　　光学レンズ
４０８　　撮像素子
４０９　　ＴＧ
４１０　　ユニット回路
４１１　　画像処理回路／ＣＰＵ
４１３　　画像記録媒体
４１４　　時計部
４１５　　操作キー部
４１６　　メモリー
４１７　　ＧＰＳモジュール
４１８　　方位センサー
４１９　　通信部
Ｔ　　テンプレート
ＳＰ１〜ＳＰ８　　サンプル画像
Ｃ１〜Ｃ８　　付加情報
ＰＰ　　撮影画像
【図１】
2004015247.tif 000003
【図２】
2004015247.tif 000004
【図３】
2004015247.tif 000005
【図４】
2004015247.tif 000006
【図５】
2004015247.tif 000007
【図６】
2004015247.tif 000008
【図７】
2004015247.tif 000009
【図８】
2004015247.tif 000010
【図９】
2004015247.tif 000011
【図１０】
2004015247.tif 000012
【図１１】
2004015247.tif 000013
【図１２】
2004015247.tif 000014
【図１３】
2004015247.tif 000015